(57)【要約】【課題】  回線接続時に端末がフリーズしていないことをユーザに認識させ、ユーザを不安にさせることのないテレビ電話機能付きの通信端末を提供する。【解決手段】  相手端末に送信するための映像データを入力する映像入力手段５、相手端末５から受信した映像およびメインＣＰＵ１からの指示に基づくユーザインタフェース情報を表示するための映像表示手段４を備えたテレビ電話機能付きの通信端末であって、  テレビ電話の接続を開始すると、映像表示手段４にテレビ電話接続中であることを示す画像を表示させ、テレビ電話の接続手順が完了すると、映像表示手段４に接続手順が完了したことを示す画像を表示させ、相手端末からの画像を受信すると、映像表示手段４に受信した相手端末の画像を表示させる。【選択図】図２
2006135495.tif 000002
【特許請求の範囲】
【請求項１】
相手端末に送信するための映像データを入力する映像入力手段、相手端末から受信した映像およびメインＣＰＵからの指示に基づくユーザインタフェース情報を表示するための映像表示手段を備えたテレビ電話機能付きの通信端末であって、
テレビ電話の接続を開始すると上記映像表示手段にテレビ電話接続中であることを示す画像を表示させ、
テレビ電話の接続手順が完了すると上記映像表示手段に接続手順が完了したことを示す画像を表示させ、
上記相手端末からの画像を受信すると上記映像表示手段に受信した相手端末の画像を表示させることを特徴とするテレビ電話機能付きの通信端末。
【請求項２】
上記接続手順が完了したことを示す画像は、静止画であることを特徴とする請求項１に記載のテレビ電話機能付きの通信端末。
【請求項３】
上記接続手順が完了したことを示す画像は、動画であることを特徴とする請求項特１に記載のテレビ電話機能付きの通信端末。
【請求項４】
テレビ電話の接続開始から接続手順が完了するまでの間、接続手順の進行に応じて順次手続進行の状況を示す画像を上記映像表示手段に表示させることを特徴とする請求項１に記載のテレビ電話機能付きの通信端末。
【請求項５】
相手端末に送信する映像データを入力するための映像入力手段、相手端末から受信した映像およびメインＣＰＵからの指示に基づくユーザインタフェース情報を表示するための映像表示手段を備えたテレビ電話機能付きの通信端末における画像表示方法であって、
テレビ電話の接続を開始すると上記映像表示手段にテレビ電話接続中であることを示す画像を表示させるステップと、
テレビ電話の接続手順が完了すると上記映像表示手段に接続手順が完了したことを示す画像を表示させるステップと、
上記相手端末からの画像を受信すると上記映像表示手段に受信した相手端末の画像を表示させるステップを有したことを特徴とするテレビ電話機能付きの通信端末の画像表示方法。
【請求項６】
テレビ電話の接続開始から接続手順が完了するまでの間、接続手順の進行に応じて順次手続進行の状況を示す画像を上記映像表示手段に表示させる複数のステップを有したことを特徴とする請求項５に記載のテレビ電話機能付きの通信端末の画像表示方法。
【発明の詳細な説明】
【技術分野】
【０００１】
この発明は、画像・音声・その他のデータを相手端末との間でやり取りすることが可能な通信端末（例えばテレビ電話機能付きの通信端末）のマルチメディア処理に関するものである。
【背景技術】
【０００２】
従来のテレビ電話機能を有した通信端末については、例えば、特開２００４−１９３９８４号公報（特許文献１）に示されたものがある。
該公報に示された通信端末においては、ネットワーク上でテレビ電話通信を行なうために相手端末に発信要求をした場合に、相手端末との通信が確立するまで「接続中」という固定のメッセージを表示するだけであり、通信確立手順の状況が利用者にわからない構成となっていた。
音声通話の場合は、回線が接続されると、すぐに通話可能な状態となるので、「接続中」メッセージが表示される時間は短くなり、固定のメッセージであっても問題にならないと思われる。
【０００３】
しかし、３ＧＧＰ規格（即ち、異なるメーカの携帯電話端末同士でテレビ電話通信が行なえるように通信方式や符号化方式を規定している規格）に準拠した３Ｇ−３２４Ｍ端末でテレビ電話通信を行なう場合は、回線が接続された後、同期確立手順、画像コーデックの起動、音声コーデックの起動などが端末内部で行なわれ、「接続中」メッセージが数秒間表示されることになる。
また、ネットワーク上でのエラー混入の影響により、上記各手順が遅れることも想定され、その場合は「接続中」メッセージが更に長い時間表示されることとなる。
携帯電話端末での音声通話を利用していたユーザは、回線が接続されると、すぐにテレビ電話ができると想像するものと思われる。
従って、「接続中」メッセージがしばらくの間表示されていると、接続手順きが正常に進んでいるのか、端末がフリーズしているのかがわからず、不安になる。
【特許文献１】特開２００４−１９３９８４号公報（段落番号００１２）
【発明の開示】
【発明が解決しようとする課題】
【０００４】
この発明は、このような問題点を解消するためになされたもので、回線が接続されてから通信手順が確立するまでの間、自端末の表示画面に動きを持たせることによって、端末がフリーズしていないことをユーザに認識させ、ユーザを不安にさせることのないテレビ電話機能付きの通信端末およびその画像表示方法を提供することを目的とする。
【課題を解決するための手段】
【０００５】
この発明に係るテレビ電話機能付きの通信端末は、相手端末に送信するための映像データを入力する映像入力手段、相手端末から受信した映像およびメインＣＰＵからの指示に基づくユーザインタフェース情報を表示するための映像表示手段を備えたテレビ電話機能付きの通信端末であって、テレビ電話の接続を開始すると、上記映像表示手段にテレビ電話接続中であることを示す画像を表示させ、テレビ電話の接続手順が完了すると、上記映像表示手段に接続手順が完了したことを示す画像を表示させ、上記相手端末からの画像を受信すると、上記映像表示手段に受信した相手端末の画像を表示させるものである。
【０００６】
また、この発明に係るテレビ電話機能付きの通信端末の画像表示方法は、相手端末に送信する映像データを入力するための映像入力手段、相手端末から受信した映像およびメインＣＰＵからの指示に基づくユーザインタフェース情報を表示するための映像表示手段を備えたテレビ電話機能付きの通信端末における画像表示方法であって、テレビ電話の接続を開始すると、上記映像表示手段にテレビ電話接続中であることを示す画像を表示させるステップと、テレビ電話の接続手順が完了すると、上記映像表示手段に接続手順が完了したことを示す画像を表示させるステップと、上記相手端末からの画像を受信すると、上記映像表示手段に受信した相手端末の画像を表示させるステップを有したものである。
【発明の効果】
【０００７】
本発明によるテレビ電話機能付きの通信端末あるいはその画像表示方法によれば、テレビ電話の接続を開始してから相手画像が表示されるまでの間に、相手接続が完了したことを示す画像を表示させて自端末の表示画面に動きを持たせることが可能となるので、端末がフリーズしていないことをユーザに認識させることが可能となり、回線接続時に接続手順が順調に進行しているのか否かの不安をユーザに抱かせることを防止できる。
【発明を実施するための最良の形態】
【０００８】
以下、図面に基づいて、本発明の一実施の形態について説明する。
なお、各図間において、同一符号は、同一あるいは相当のものを表す。
実施の形態１．
図１は、本発明におけるテレビ電話機能付きの通信端末（例えばテレビ電話機能付きの携帯電話端末）の概略構成を示すロック図である。
図において、1はテレビ電話機能付きの通信端末の全体制御やユーザインタフェースを司るメインＣＰＵである。２１はネットワークと接続するための無線部である。
２２は回線の接続／切断処理を行い、回線が接続された時にテレビ電話のデータを送受信する回線インタフェース（回線Ｉ／Ｆ）部である。
【０００９】
２は回線インタフェース部２２との間で送受信される「映像・音声が多重されたデータ」から映像・音声を分離し、映像・音声ＣＯＤＥＣ（Ｃｏｒｄｅｒ／Ｄｅｃｏｄｅｒ）部３に出力し、逆に、ＣＯＤＥＣ部３から入力された映像・音声データを多重し、回線インタフェース部２２に出力する多重分離部である。
映像・音声ＣＯＤＥＣ部３は、映像・音声データを圧縮符号化して多重分離部２出力し、逆に多重分離部２から受信した映像・音声の圧縮符号化されたデータを復号する。
４は映像・音声ＣＯＤＥＣ部３で復号した相手端末（図示せず）の映像や、メインＣＰＵ１からの指示に基づくユーザインタフェース情報を表示するための映像表示手段（例えばＬＣＤ）である。
５は映像・音声ＣＯＤＥＣ部３に対して、映像データを入力するための映像入力手段（カメラ）、２０はメインＣＰＵ１から当該通信端末の全体を制御するためのＣＰＵバス、２３は映像・音声ＣＯＤＥＣ部３にて復号された音声データを出力するための音声出力手段（受話器）、２４は映像・音声ＣＯＤＥＣ部３に音声データを入力するための音声入力手段（送話器）である。
【００１０】
図２は、本発明の実施の形態１におけるテレビ電話機能付きの通信端末（テレビ電話機能付きの携帯電話端末）でのテレビ電話通信開始時の内部処理の手順を示すシーケンスである。
図において、符号１〜５は、図１で示したものと同一であるため、説明を省略する。
６はテレビ電話での発信（発呼）または、相手端末からのテレビ電話の着信（着呼）後に映像表示手段４で表示するテレビ電話接続中画面である。
７は多重分離部２にてテレビ電話接続手順が完了した時点で、接続手順が完了したことを表すための静止画表示画面である。
８は多重分離部２での接続手順が完了した後、映像・音声ＣＯＤＥＣ部３にて相手画像の復号処理が行われて、最初に表示される相手画像画面である。
【００１１】
次に、本実施の形態によるテレビ電話機能付きの通信端末の動作について説明する。
図２に示すように、ユーザがテレビ電話発信を行なうか、相手端末よりテレビ電話着信があると、メインＣＰＵ１は映像表示手段（ＬＣＤ）４に対して「テレビ電話接続中画面」６を表示する。
その後、メインＣＰＵ１は、映像入力手段（カメラ）５を起動し、多重分離部２、映像・音声ＣＯＤＥＣ３を起動する。多重分離部２が起動されると、メインＣＰＵ１は多重分離部２に対してテレビ電話通信開始要求９を行なう。多重分離部２は、ＩＴＵ−Ｔ（International Telecommunication Union - TelecommunicationStandardization Sector ）勧告Ｈ．２２３に従った同期確立手順、ＩＴＵ−Ｔ勧告Ｈ．２４５に従った端末能力交換手順（（即ち、通信開始時に自端末の能力を互いに送信し、テレビ電話通信に必要な共通の能力を決定する手順）を実施し、これらの接続手順が完了した時点でメインＣＰＵ１に対して接続手順完了通知１０を送信する。
【００１２】
また、同時に映像・音声ＣＯＤＥＣ部３を起動し、自画像の符号化、相手画像の復号、自端末音声の符号化、相手端末音声の復号を開始する。
メインＣＰＵ１は、接続手順完了通知１０を受け取ると、映像表示手段４に対して接続手順が完了したことを示す静止画７を表示する。
その後、映像・音声ＣＯＤＥＣ部３より1画面分の相手画像の復号が完了したことを示す表示画像完成通知１１を受け取ると、メインＣＰＵ１は映像表示手段４に対して送信されてくる相手画像８を表示する。
【００１３】
前述した従来の通信端末では、多重分離部２からの接続手順完了通知１０を受け取ったタイミングでメインＣＰＵ１は接続手順が完了したことを示す静止画７は表示しておらず、相手画像８が表示されるまでの間、固定のテレビ電話接続中画面（静止画）６を表示しており、画面に動きがなかった。
そのためユーザは端末の接続手順がどこまで進んでいるのか知ることができず、テレビ電話通信が開始されるまでの間、不安になるという問題があった。
【００１４】
しかしながら、上述したように、本実施の形態によるテレビ電話機能付きの通信端末は、相手端末に送信するための映像データを入力する映像入力手段５、相手端末から受信した映像およびメインＣＰＵ１からの指示に基づくユーザインタフェース情報を表示するための映像表示手段４を備えたテレビ電話機能付きの通信端末であって、テレビ電話の接続を開始すると映像表示手段４にテレビ電話接続中であることを示す画像（静止画像）６を表示させ、テレビ電話の接続手順が完了すると映像表示手段４に接続手順が完了したことを示す画像（静止画像）７を表示させ、相手端末からの画像を受信すると映像表示手段４に受信した相手端末の画像８を表示させるように構成している。
【００１５】
従って、テレビ電話が接続されるまでの間に、接続手順完了通知のタイミングで表示されている静止画面を切り替えるため、ユーザはテレビ電話接続までの状態が変化していることを認識することができる。
つまり、テレビ電話の接続を開始してから相手画像が表示されるまでの間に、相手接続が完了したことを示す画像を表示させて自端末の表示画面に動きを持たせることが可能となるので、端末がフリーズしていないことをユーザに認識させることが可能となり、回線接続時に接続手順が順調に進行しているのか否かの不安をユーザに抱かせることを防止できるという効果がある。
【００１６】
なお、上記の実施の形態1では、接続手順完了通知１０のタイミングで静止画表示７に切り替えるとしたが、テレビ電話接続中画面６に「画像準備中」などのメッセージを表示する方法でも同様の効果が得られる。
また、テレビ電話接続中画面６に、アイコンやインジケータを表示する方法でも同様の効果が得られる。
【００１７】
実施の形態２．
図３は、本発明の実施の形態２におけるテレビ電話機能付きの通信端末（テレビ電話機能付きの携帯電話端末）でのテレビ電話通信開始時の内部処理の手順を示すシーケンスである。
図において、符号１〜６および符号８〜１１で示されたものは、図２のもの同一であるので、説明を省略する。
１２は、多重分離部２からの接続手順完了通知１０を受信した後に、メインＣＰＵ１が映像表示手段４に表示する動画表示画面である。
【００１８】
次に、本実施の形態によるテレビ電話機能付きの通信端末の動作について説明する。
多重分離部２からの接続手順完了通知１０をメインＣＰＵ１が受信するまでの動作は、実施の形態1と同様である。
多重分離部２からの接続手順完了通知１０を受け取ると、メインＣＰＵは１アニメーションや、スクリーンセーバーなどの動画を映像表示手段4に表示する。
その後、映像・音声ＣＯＤＥＣ部３より、1画面分の相手画像の復号が完了したことを示す表示画像完成通知１１を受け取ると、メインＣＰＵ１は映像表示手段4に対して相手画像8を表示する。
【００１９】
以上説明したように、本実施の形態によるテレビ電話機能付きの通信端末は、実施の形態１におけるテレビ電話機能付きの通信端末において、「接続手順が完了したことを示す画像」は動画であることを特徴とし、接続手順完了通知１０を受け取った後は動画を表示させることにより端末がフリーズしていないことをユーザに対してより確実に認識させることができるという効果がある。
【００２０】
実施の形態３．
図４は、本発明の実施の形態３におけるテレビ電話機能付きの通信端末（テレビ電話機能付きの携帯電話端末）でのテレビ電話通信開始時の内部処理の手順を示すシーケンスである。
図において、符号１〜６および符号８〜１１で示されたものは、図２のもの同一であるため、説明を省略する。
１３は多重分離部２にてＩＴＵ−Ｔ勧告Ｈ．２２３に従った同期確立手順が開始されたことをメインＣＰＵ１に対して通知する多重分離開始通知である。
１４は多重分離部２にて同期確立手順が開始されたことをユーザに通知するための同期確立待ち表示画面である。
【００２１】
また、１５は多重分離部２にてＩＴＵ−Ｔ勧告Ｈ．２２３に従った同期確立手順が完了したことをメインＣＰＵ１に通知する同期確立完了通知である。
１６は同期確立手順が完了したことをユーザに通知するための同期確立完了表示画面である。
１７は多重分離部２にてＩＴＵ−Ｔ勧告Ｈ．２４５に従った能力交換手順が開始されたことをメインＣＰＵ１に通知する能力交換開始通知である。
１８は多重分離部２にて能力交換手順が開始されたことをユーザに通知するための能力交換待ち表示画面である。
１９は能力交換手順が完了し、映像・音声ＣＯＤＥＣ部３での符号化処理および復号処理が起動されたことをユーザに通知するための画像準備中表示画面である。
【００２２】
次に、本実施の形態によるテレビ電話機能付きの通信端末の動作について説明する。
図４に示すように、ユーザがテレビ電話発信を行なうか、相手端末よりテレビ電話着信があると、メインＣＰＵ１1は、映像表示手段（ＬＣＤ）4に対して「テレビ電話接続中画面」６を表示する。
その後、メインＣＰＵ１は、映像入力手段（カメラ）５を起動し、多重分離部２、映像・音声ＣＯＤＥＣ部３を起動する。
多重分離部２が起動されると、メインＣＰＵ１は多重分離部２に対してテレビ電話通信開始要求９を行なう。
多重分離部２は、ＩＴＵ−Ｔ勧告Ｈ．２２３に従った同期確立手順を開始し、メインＣＰＵ１に対して多重分離開始通知１３を送信する。
メインＣＰＵ１は、多重分離開始通知１３を受信したタイミングで、映像表示手段４に対して同期確立待ち画面１４を表示する。
【００２３】
その後、多重分離部２は、ＩＴＵ−Ｔ勧告Ｈ．２２３に従った同期確立処理を行ない、同期が確立すると同期確立完了通知１５をメインＣＰＵ１に送信する。
メインＣＰＵ１は、同期確立完了通知１５を受信したタイミングで、映像表示手段4に対して同期確立完了画面１６を表示する。
その後、多重分離部２は、ＩＴＵ−Ｔ勧告Ｈ．２４５に従った端末能力交換手順を開始し、メインＣＰＵ１に対して能力交換開始通知１７を送信する。
メインＣＰＵ１は、能力交換開始通知１７を受信したタイミングで、映像表示手段4に対して能力交換待ち画面１８を表示する。
【００２４】
その後、多重分離部２は、端末能力交換手順が完了すると、メインＣＰＵ１に対し接続手順完了通知１０を送信する。
また、同時に映像・音声ＣＯＤＥＣ部３を起動し、自画像の符号化、相手画像の復号、自端末音声の符号化、相手端末音声の復号を開始する。
メインＣＰＵ１は、接続手順完了通知１０を受信すると、映像表示手段4に対して画像準備中表示画面１９を表示する。
その後、映像・音声ＣＯＤＥＣ部３より、1画面分の相手画像の復号が完了したことを示す表示画像完成通知１１を受け取ると、メインＣＰＵ１は映像表示手段4に対して相手画像8を表示する。
【００２５】
前述した従来の通信端末では、相手画像８が表示されるまでの間、固定のテレビ電話接続中画面６を表示しており、画面に動きがなかった。
また、前述の実施の形態１あるいは２によるテレビ電話機能付きの通信端末でも、相手手順完了通知１０を受け取るまでの間は、やはり固定のテレビ電話接続中画面６を表示しており、画面に動きがなかった。
そのため、ユーザは、端末の接続手順がどこまで進んでいるのかを詳しく知ることができず、テレビ電話通信が開始されるまでの間、不安になるという問題があった。
しかしながら、上述したように、本実施の形態によるテレビ電話機能付きの通信端末は、テレビ電話で相手画面が表示されるまでの間に、同期確立待ち画面１４→同期確立完了画面１６→能力交換待ち画面１８→画像準備中画面１９へと、接続手順の進行状況に応じて映像表示手段４に表示させる画面を順次変化させている。
【００２６】
つまり、本実施の形態によるテレビ電話機能付きの通信端末は、テレビ電話の接続開始から接続手順が完了するまでの間、接続手順の進行に応じて手順進行の状況を示す画像を映像表示手段に順次表示させている。
従って、ユーザは、テレビ電話接続までの手順が順調に進んでいることを逐一認識することが可能となるので、回線接続時に接続手順が進行しているのか否かの不安を抱くことを確実に解消されるという効果がある。
【００２７】
なお、上述の実施の形態３では、同期確立待ち画面１４、同期確立完了画面１６、能力交換待ち画面１８、および画像準備中画面１９という、一般ユーザには理解し難い画面名称にしているが、「相手端末確認中」、「相手画像準備中」などの、一般ユーザに理解し易いメッセージを表示する方法でも同様の効果が得られる。
また、テレビ電話接続中画面６に、アイコンやインジケータを表示する方法でも同様の効果が得られる。
【産業上の利用可能性】
【００２８】
この発明は、テレビ電話機能付きの通信端末における相手端末とのテレビ電話接続時のユーザインタフェースの改善に有用である。
【図面の簡単な説明】
【００２９】
【図１】本発明におけるテレビ電話機能付きの通信端末の概略構成を示すロック図である。
【図２】実施の形態１によるテレビ電話機能付きの通信端末でのテレビ電話通信開始時の内部処理の手順を示すシーケンスである。
【図３】実施の形態２によるテレビ電話機能付きの通信端末でのテレビ電話通信開始時の内部処理の手順を示すシーケンスである。
【図４】実施の形態３によるテレビ電話機能付きの通信端末でのテレビ電話通信開始時の内部処理の手順を示すシーケンスである。
【符号の説明】
【００３０】
１  メインＣＰＵ                      ２  多重分離部
３  映像・音声ＣＯＤＥＣ部            ４  映像表示手段（ＬＣＤ）
５  映像入力手段（カメラ）            ６  テレビ電話接続中画面
７  静止画表示画面                    ８  相手画像表示画面
９  テレビ電話通信開始要求          １０  接続手順完了通知
１１  表示画像完成通知                １３  多重分離開始通知
１４  同期確立待ち表示画面            １５  同期確立完了通知
１６  同期確立完了表示画面            １７  能力交換完了通知
１８  能力交換待ち表示画面            １９  画像準備中表示画面
２０  ＣＰＵバス                      ２１  無線部
２２  回線インタフェース部            ２３  音声出力手段（受話器）
２４  音声入力手段（送話器）
【図１】
2006135495.tif 000003
【図２】
2006135495.tif 000004
【図３】
2006135495.tif 000005
【図４】
2006135495.tif 000006